(57)【要約】  【課題】  診断目的の撮影を行う医用画像撮影装置を制御する医用画像撮影制御装置において、転送処理の効率を向上させる。  【解決手段】  この医用画像撮影制御装置は、入力された検査要求信号及び情報を格納する格納手段１２２と、入力された情報に基づいて、医用画像撮影装置が行う撮影における撮影条件を設定する撮影条件設定手段１２１ａと、移動端末に転送すべき検査要求信号及び情報を入力したときに、第１のモードにおいて、入力された検査要求信号及び情報を格納手段に蓄積させ、第２のモードにおいて、第１のモードにおいて蓄積された複数の検査要求信号及び情報を、撮影条件設定手段によって設定された対応する撮影条件と共に移動端末に一括して転送する転送手段とを具備する。【選択図】  図２
2005253574.tif 000002
【特許請求の範囲】
【請求項１】
診断目的の撮影を行う医用画像撮影装置を制御する医用画像撮影制御装置であって、
入力された検査要求信号及び撮影に関する情報を格納する格納手段と、
入力された情報に基づいて、前記医用画像撮影装置が行う撮影における撮影条件を設定する撮影条件設定手段と、
移動可能な医用画像撮影装置を制御するために用いられる移動端末に転送すべき検査要求信号及び情報を入力したときに、第１のモードにおいて、入力された検査要求信号及び情報を前記格納手段に蓄積させ、第２のモードにおいて、第１のモードにおいて蓄積された複数の検査要求信号及び情報を、前記撮影条件設定手段によって設定された対応する撮影条件と共に前記移動端末に一括して転送する転送手段と、
を具備する医用画像撮影制御装置。
【請求項２】
前記転送手段が、オペレータの操作に基づいて前記第１のモードを設定する、請求項１記載の医用画像撮影制御装置。
【請求項３】
前記転送手段が、ネットワークを介して接続されたオーダリング装置から入力される撮影に関する情報に基づいて前記第１のモードを設定する、請求項１記載の医用画像撮影制御装置。
【請求項４】
前記転送手段が、ネットワークを介して接続されたオーダリング装置から検査要求信号が所定の期間入力されないときに前記第１のモードを解除する、請求項２又は３記載の医用画像撮影制御装置。
【請求項５】
前記転送手段が、入力された検査要求信号の数が指定された数に達したときに前記第１のモードを解除する、請求項２又は３記載の医用画像撮影制御装置。
【請求項６】
診断目的の撮影を行う医用画像撮影装置を制御する医用画像撮影制御方法であって、
移動可能な医用画像撮影装置を制御するために用いられる移動端末に転送すべき検査要求信号及び撮影に関する情報を入力したときに、第１のモードにおいて、入力された検査要求信号及び情報を蓄積するステップ（ａ）と、
入力された情報に基づいて、前記医用画像撮影装置が行う撮影における撮影条件を設定するステップ（ｂ）と、
第２のモードにおいて、第１のモードにおいて蓄積された複数の検査要求信号及び情報を、ステップ（ｂ）において設定された対応する撮影条件と共に前記移動端末に一括して転送するステップ（ｃ）と、
を具備する医用画像撮影制御方法。
【請求項７】
ステップ（ａ）が、オペレータの操作に基づいて前記第１のモードを設定することを含む、請求項６記載の医用画像撮影制御方法。
【請求項８】
ステップ（ａ）が、ネットワークを介して接続されたオーダリング装置から入力される撮影に関する情報に基づいて前記第１のモードを設定することを含む、請求項６記載の医用画像撮影制御方法。
【請求項９】
ステップ（ｃ）が、ネットワークを介して接続されたオーダリング装置から検査要求信号が所定の期間入力されないときに前記第１のモードを解除することを含む、請求項７又は８記載の医用画像撮影制御方法。
【請求項１０】
ステップ（ｃ）が、入力された検査要求信号の数が指定された数に達したときに前記第１のモードを解除することを含む、請求項７又は８記載の医用画像撮影制御方法。
【発明の詳細な説明】
【技術分野】
【０００１】
本発明は、診断目的の撮影を行う医用画像撮影装置を制御する医用画像撮影制御装置に関する。さらに、本発明は、そのような医用画像撮影制御装置において用いられる医用画像撮影制御方法に関する。
【背景技術】
【０００２】
従来より、放射線（Ｘ線、α線、β線、γ線、電子線、紫外線等）を用いた撮影方法は様々な分野で利用されており、特に医療分野においては、診断のための最も重要な手段の一つとなっている。最初のＸ線写真が実現されてから、Ｘ線写真法は数々の改良を重ねられ、現在では蛍光スクリーンとＸ線フィルムを組み合わせた方法が主流となっている。一方、近年においては、Ｘ線ＣＴや超音波、ＭＲＩ等の様々なディジタル化された装置が実用化されており、病院内での診断情報処理システム等の構築が進められようとしている。Ｘ線画像についてもディジタル化するための多くの研究がなされてきたが、輝尽性蛍光体を用いた放射線撮影方法が確立され、従来のＸ線写真法に置き換わるものとして注目されている。
【０００３】
輝尽性蛍光体（蓄積性蛍光体）とは、放射線を照射するとその放射線エネルギの一部が蓄積され、その後、可視光等の励起光を照射すると、蓄積されたエネルギに応じて輝尽発光する物質であり、その存在は従来から知られていた。これを用いた放射線撮影方法は、画像撮影装置を用いて、輝尽性蛍光体を塗布したシートに人体等の被写体の放射線画像を撮影記録し、画像読取装置を用いて、この輝尽性蛍光体シートをレーザ光等の励起光で走査すると輝尽発光光が生じるので、この光を光電的に読み取ることにより画像データを得るものである。さらに、画像処理装置を用いて、この画像データを適切に処理した後、ＣＲＴ等のディスプレイに出力したり、レーザプリンタ等によりフィルムに印刷して、放射線画像を可視画像として表示することができる。
【０００４】
このような放射線撮影方法は、撮影感度や画質の面で、従来のＸ線写真法に匹敵する性能を持っている。例えば、従来のＸ線写真法と比較して、露光域が極めて広く、また、露光量に対する輝尽発光光の応答が露光域全域に渡ってほぼ比例している。このため、被写体をどのような放射線量で撮影しても、画像の存在する発光域をとらえ、過不足なく正規化してディジタル信号化することができる。また、このようにして得た信号を適切な画像処理方法と組み合わせることにより、様々な撮影条件の下でも定常的に良質な画像を提供することが可能である。さらに、直接、ディジタル化された画像情報を得ているので、画質の劣化を招くことなく、大量のデータを長期保存することが可能になるばかりか、医療診断情報システムへの発展等も可能になる。
【０００５】
近年においては、検査の進行状況等に基づいて業務を管理する病院情報管理システム（hospital information system：ＨＩＳ）や放射線科情報管理システム（radiology information system：ＲＩＳ）等が用いられており、このようなシステムにネットワークを介して接続された医用画像撮影制御装置を用いて、放射線撮影装置等の医用画像撮影装置による撮影が制御されることがある。具体的には、ＲＩＳ等のオーダリング装置において発行された検査要求信号が、検査情報等と共に、オーダリング装置からネットワークを介して医用画像撮影制御装置に入力され、医用画像撮影制御装置が、検査情報に基づいてＸ線照射量等の撮影条件を設定し、医用画像撮影制御装置に接続された医用画像撮影装置に検査要求信号を撮影条件等と共に転送する。
【０００６】
一方、動けない状態となっている入院患者の撮影においては、移動が容易なポータブルの医用画像撮影装置を患者の病室に運び込み、ポータブル撮影を行っている。ポータブル撮影においては、予め、医用画像撮影制御装置が、ＰＤＡ（personal digital assistant：個人用情報端末）等のモバイル端末（移動端末）に検査要求信号を撮影条件等と共に転送しておき、モバイル端末が、格納した検査要求信号及び撮影条件等をポータブルの医用画像撮影装置に送信している。
【０００７】
図５は、従来の転送動作を示すフローチャートである。図５に示すように、ステップＳ１０１において、オーダリング装置が検査要求信号を発行し、その検査要求信号を検査情報等と共に、ネットワークを介して医用画像撮影制御装置に出力する。ステップＳ１０２において、医用画像撮影制御装置が、オーダリング装置において発行された検査要求信号及び検査情報等を受信し、撮影条件を設定する。ステップＳ１０３において、医用画像撮影制御装置が、検査要求信号及び撮影条件等をモバイル端末に転送する。ステップＳ１０４において、発行する検査要求信号が残っている場合には、ステップＳ１０１に移行してステップＳ１０１〜Ｓ１０３を繰り返し、発行する検査要求信号が残っていない場合には、転送動作を終了する。このように、ステップＳ１０１〜Ｓ１０３における動作を繰り返すことにより、一連の検査要求信号をモバイル端末に転送することができる。
【０００８】
しかしながら、従来の転送動作においては、医用画像撮影制御装置からモバイル端末への検査要求信号の転送が検査要求信号毎に１回ずつ行われ、その度に医用画像撮影制御装置とモバイル端末との間のネゴシエーション又は確認処理を行う必要があるので、転送処理の効率が悪いという問題があった。ここで、ネゴシエーションとは、医用画像撮影制御装置とモバイル端末との間の通信速度等の通信設定を相互に情報交換しながら決定することであり、確認処理とは、転送された検査要求信号が既に転送されている検査要求信号と同一か否か、転送された検査要求信号に対応する検査がポータブル撮影可能な検査か否か、及び、そのモバイル端末を用いて実施可能な検査の件数を越えているか否か等を確認することである。
【０００９】
一方、転送処理の効率を向上させるために、オーダリング装置とモバイル端末とを直接接続することにより、医用画像撮影制御装置を介さずに、複数の検査要求信号をまとめてオーダリング装置からモバイル端末に送信する方法も考えられる。その場合には、モバイル端末から検査要求信号が送信された医用画像撮影装置を用いて撮影を実施し、撮影実施後、撮影結果等の撮影情報をモバイル端末から医用画像撮影制御装置に送信する。医用画像撮影制御装置は、モバイル端末から送信された撮影情報を格納し、さらに、オーダリング装置に撮影実績を返すようにする。しかしながら、この場合には、医用画像撮影制御装置によって撮影条件を得ることができないので、撮影技師がモバイル端末を操作して撮影条件を設定する必要があり、設定操作が煩雑になるという問題がある。
【００１０】
関連する技術として、下記の特許文献１には、多数のカセッテを持ち運ぶ必要を無くすとともに、撮影を行なう毎にＩＤ登録を行なうことを可能とする移動型の放射線画像情報撮影装置が開示されている。特許文献１によれば、被検体の氏名、性別、撮影年月日、撮影方法、撮影部位等のＩＤ情報の登録手段を画像読取装置にオンライン接続することなく撮影装置と一体化しているので、１枚の画像の撮影を行なう毎にＩＤ情報の登録を行うことができ、登録作業を迅速に行なうことができるとともに、入力ミスの発生を防止することができる。しかしながら、撮影装置と一体化しているキーボードを用いてＩＤ情報の登録を行なうので、オーダリング装置から検査の開始を要求される場合においても、キーボードを用いて手動で登録する必要があり、入力ミスが発生する可能性がある。
【００１１】
また、下記の特許文献２には、露光済のカセッテから作成するＸ線写真への被検体情報の重畳表示に起因する作業の煩雑さ及び重畳表示の誤りを解消することができる回診用Ｘ線撮影装置が開示されている。特許文献２によれば、携帯端末が、ホストコンピュータからダウンロードした各被検体についてのＸ線撮影情報やカセッテ条件を、被検体と対応付けて記憶し、また、携帯端末の端末本体に繋がっているバーコードリーダによってフィルムカセッテに貼られたバーコードラベルのバーコードをスキャンしてカセッテ情報を読み取り、さらに、カセッテ条件とカセッテ情報とを照合してカセッテ情報を被検体情報と対応付けて記憶するので、露光済のカセッテから作成するＸ線写真への被検体情報の重畳表示に起因する作業の煩雑さ及び重畳表示の誤りを解消することができる。しかしながら、ホストコンピュータから携帯端末にＸ線撮影情報等を転送するダウンロードの詳細については述べられていない。
【特許文献１】特開平１−９７９４５号公報（第３〜４，６頁、図１）
【特許文献２】特開２００３−２１０４４６号公報（第２，６，８頁、図１）
【発明の開示】
【発明が解決しようとする課題】
【００１２】
そこで、上記の点に鑑み、本発明は、診断目的の撮影を行う医用画像撮影装置を制御する医用画像撮影制御装置において、転送処理の効率を向上させることを目的とする。
【課題を解決するための手段】
【００１３】
上記課題を解決するため、本発明に係る医用画像撮影制御装置は、診断目的の撮影を行う医用画像撮影装置を制御する医用画像撮影制御装置であって、入力された検査要求信号及び撮影に関する情報を格納する格納手段と、入力された情報に基づいて、医用画像撮影装置が行う撮影における撮影条件を設定する撮影条件設定手段と、移動可能な医用画像撮影装置を制御するために用いられる移動端末に転送すべき検査要求信号及び情報を入力したときに、第１のモードにおいて、入力された検査要求信号及び情報を格納手段に蓄積させ、第２のモードにおいて、第１のモードにおいて蓄積された複数の検査要求信号及び情報を、撮影条件設定手段によって設定された対応する撮影条件と共に移動端末に一括して転送する転送手段とを具備する。
【００１４】
また、本発明に係る医用画像撮影制御方法は、診断目的の撮影を行う医用画像撮影装置を制御する医用画像撮影制御方法であって、移動可能な医用画像撮影装置を制御するために用いられる移動端末に転送すべき検査要求信号及び情報を入力したときに、第１のモードにおいて、入力された検査要求信号及び情報を蓄積するステップ（ａ）と、入力された情報に基づいて、医用画像撮影装置が行う撮影における撮影条件を設定するステップ（ｂ）と、第２のモードにおいて、第１のモードにおいて蓄積された複数の検査要求信号及び情報を、ステップ（ｂ）において設定された対応する撮影条件と共に移動端末に一括して転送するステップ（ｃ）とを具備する。
【発明の効果】
【００１５】
本発明によれば、第１のモードにおいて蓄積された検査要求信号及び情報を、第２のモードにおいて移動端末に一括して転送することにより、転送処理の効率を向上させることができる。
【発明を実施するための最良の形態】
【００１６】
以下、本発明を実施するための最良の形態について、図面を参照しながら詳しく説明する。なお、同一の構成要素には同一の参照番号を付して、説明を省略する。
図１は、本発明の一実施形態に係る医用画像撮影制御装置を含む医用画像撮影システムの構成を示すブロック図である。図１に示すように、放射線科には、被検者に放射線を照射して撮影を行うことにより記録シート（輝尽性蛍光体シート）１に放射線画像を記録する医用画像撮影装置１０及びポータブルの医用画像撮影装置２０と、医用画像撮影装置１０を制御する医用画像撮影制御装置３０と、記録シート１に記録された放射線画像等の情報を光電的に読み取って画像データを生成する医用画像読取装置４０と、ポータブルの医用画像撮影装置２０又は医用画像撮影制御装置３０に接続され、撮影条件等の情報を医用画像撮影制御装置３０から受け取ってポータブルの医用画像撮影装置２０に送信するＰＤＡ（personal digital assistant：個人用情報端末）５０等のモバイル端末（移動端末）とが配置されている。
【００１７】
ここで、医用画像撮影装置１０と医用画像撮影制御装置３０とは、シリアル接続されており、医用画像撮影制御装置３０と医用画像読取装置４０とは、ネットワークを介して接続されている。また、ポータブルの医用画像撮影装置２０又は医用画像撮影制御装置３０とＰＤＡ５０とは、ＵＳＢ（universal serial bus）を用いて接続することができる。
【００１８】
また、放射線科においては、医用画像撮影制御装置３０において処理が施された画像データ等を記録するアーカイブ６０と、放射線画像をフィルム等に印刷するプリンタ７０と、放射線撮影に関する様々な業務の遂行を管理するＲＩＳ８０と、受付端末９０とが、ネットワークを介して医用画像撮影制御装置３０に接続されている。また、ＲＩＳ８０は、病院全体の業務を管理するＨＩＳ１００や、病院の受付端末１１０に、ネットワークを介して接続されている。
【００１９】
放射線撮影に用いられる記録シート１は、輝尽性蛍光体物質を塗布したものであり、放射線が照射されることにより被写体の情報が記録される。医用画像撮影装置１０において、所定の撮影条件の下で被検者の放射線撮影が行われ、その放射線画像が記録シート１に記録される。
【００２０】
医用画像撮影装置１０は、医用画像撮影装置１０の所定の位置にセットされた記録シート１の位置を上下に移動させて微調整することにより被検者における撮影位置を昇降させる撮影位置昇降機構１１と、被検者の足の位置を決める撮影台１２と、被検者に放射線を照射する放射線発生部１３と、医用画像撮影制御装置３０から制御信号が入力されるインタフェース１４とを含んでいる。
【００２１】
医用画像撮影装置２０は、記録シート１を上部に乗せて保持する撮影台２１と、被検者に放射線を照射する放射線発生部２２と、放射線発生部２２の位置を微調整することにより被検者に対する照射位置を微調整する照射位置調整機構２３と、ＰＤＡ５０から送信される撮影条件等の情報が入力されるインタフェース２４とを含んでいる。なお、被検者が入院患者である場合には、撮影台２１として入院患者の寝台を用いても良い。
【００２２】
医用画像撮影制御装置３０は、医用画像撮影装置１０やＰＤＡ５０に撮影条件等の情報を出力するコンソールであり、患者情報や各種の命令等を入力するために用いられる入力部３１と、記録シート１を格納するカセッテに付されたバーコードを読み取るバーコードリーダ３２と、入力された検査要求信号に対応する検査や放射線画像等を表示する表示部３３と、処理部１２０とを含んでいる。処理部１２０は、入力された検査要求信号に基づいて、撮影条件等の情報を医用画像撮影装置１０に出力することによって、医用画像撮影装置１０を制御し、また、記憶している撮影条件等の情報をまとめてＰＤＡ５０に出力する。また、処理部１２０は、医用画像読取装置４０から入力される画像データ等に対して各種の処理を施したり、アーカイブ６０等の記録装置やプリンタ７０等の出力装置に画像データ等を配送する。
【００２３】
医用画像読取装置４０は、レーザ光源４１から出射し、光走査部４２を通った光ビームによって、所定の位置にセットされた記録シート１の表面を走査する。この走査により光ビームが記録シート１に照射され、光ビームが照射された箇所から蓄積記録された放射線画像情報に応じた光量の輝尽発光光が生じる。輝尽発光光は、フォトマルチプライヤ（光電子増倍管）４３により光電的に検出され、アナログ信号として出力されて増幅器４４により増幅され、Ａ／Ｄ変換器４５によりディジタル化される。また、記録シート１を格納するカセッテに付されたバーコードが、バーコードリーダ４６により読み取られ、読み取られたバーコード情報は、患者情報及び検査情報に対応する画像付帯情報として使用される。このようにして生成された画像データと画像付帯情報とが、出力部４７からネットワークを介して医用画像撮影制御装置３０に送信される。
【００２４】
ＰＤＡ５０は、各種の命令等を入力するために用いられる入力部５１と、記録シート１を格納するカセッテに付されたバーコードを読み取るバーコードリーダ５２と、入力された検査要求信号に対応する検査等を表示する表示部５３と、処理部５４とを含んでいる。処理部５４は、入力された検査要求信号及び撮影条件等の情報と、バーコードリーダ５２によって読み取られたバーコードとを対応させて格納し、また、撮影条件等の情報を医用画像撮影装置２０に送信する。
【００２５】
アーカイブ６０は、医用画像撮影制御装置３０から配送された画像データ及び画像付帯情報を記録する。また、プリンタ７０は、医用画像撮影制御装置３０から配送された画像データに基づいて、医用画像をフィルム等に印刷する。
【００２６】
ＲＩＳ８０は、検査を開始させるために、医用画像撮影制御装置３０に対して、検査要求信号、患者情報、及び、検査情報を出力することにより、オーダリング装置として機能する。同様に、ＨＩＳ１００も、電子カルテＤＢ（data base：データベース）１０１に基づいて、オーダリング装置として機能することが可能である。また、専用に開発されたアプリケーションプログラムによって動作するオーダリング装置を別途設けるようにしても良い。
【００２７】
受付端末１１０は、病院の受付において、被検者である患者の氏名や患者ＩＤ等の患者情報を入力するために用いられ、また、予め放射線撮影を行うことが分かっている場合には、撮影部位等を表す撮影メニュー、検査番号及び検査日等の検査情報を入力するために用いられる。なお、患者情報及び検査情報は、医用画像撮影制御装置３０の入力部３１、又は、放射線科の受付端末９０を用いて入力するようにしても良い。電子カルテＤＢ１０１には、受付端末９０又は１１０等を用いて入力された患者情報及び検査情報等が登録されている。
【００２８】
動けない状態となっている入院患者の撮影においては、移動が容易なポータブルの医用画像撮影装置を患者の病室に運び込み、ポータブル撮影を行っている。ポータブル撮影においては、予め、医用画像撮影制御装置が、ＰＤＡ等のモバイル端末に検査要求信号を撮影条件等と共に転送しておき、モバイル端末が、格納した検査要求信号及び撮影条件等をポータブルの医用画像撮影装置に送信している。
【００２９】
本実施形態においては、オーダリング装置から医用画像撮影制御装置に入力された複数の検査要求信号及び撮影条件等を医用画像撮影制御装置からモバイル端末に転送する際に、検査要求信号毎に１回ずつ行うことはしない。その代わりに、医用画像撮影制御装置が、オーダリング装置から入力されるＰＤＡ転送モードの設定を表す信号に基づいてＰＤＡ転送モードを設定することにより、入力される検査要求信号及び撮影条件等をＰＤＡ５０に転送する信号として蓄積し、オーダリング装置から入力されるＰＤＡ転送モードの解除を表す信号に基づいてＰＤＡ転送モードを解除することにより、蓄積された検査要求信号及び撮影条件等をＰＤＡ５０に一括して転送している。
【００３０】
図２は、図１に示す医用画像撮影制御装置の詳細な構成を示すブロック図である。処理部１２０は、中央演算装置（以下、ＣＰＵという）１２１と、入力された画像データや検査要求信号等を一時的に記憶するメモリ１２２と、記録媒体としてのハードディスク１２３と、ハードディスク制御部１２４と、ネットワークインタフェース１２５とを含んでいる。これらの部分１２１〜１２５は、バスラインを介して相互に接続されている。さらに、処理部１２０は、インタフェース１２６〜１２８を含んでいる。
【００３１】
メモリ１２２は、オーダリング装置から入力される検査要求信号等や、バーコードリーダ３２を用いて読み取られたバーコード情報や、医用画像読取装置から受信された画像データ及び画像付帯情報を一時的に記憶する。ＣＰＵ１２１は、インタフェース１２６を介して、キーボードやマウス等の入力部３１や、ＣＲＴディスプレイ等の表示部３３に接続されており、インタフェース１２７を介して、医用画像撮影装置１０に接続されており、ネットワークインタフェース１２５及びネットワークを介して、図１に示す医用画像読取装置４０、アーカイブ６０、プリンタ７０、ＲＩＳ８０、受付端末９０に接続されている。さらに、ＣＰＵ１２１は、インタフェース１２８を介して、ＰＤＡ５０に接続することができる。
【００３２】
ハードディスク１２３には、ＣＰＵ１２１に動作を行わせるためのソフトウェア（プログラム）が記録されている。なお、記録媒体としては、内蔵のハードディスク１２３の他に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００３３】
次に、ＣＰＵ１２１とソフトウェア（プログラム）とによって構成される機能ブロック１２１ａ〜１２１ｅについて説明する。
撮影条件設定部１２１ａは、オーダリング装置から入力される検査要求信号に対応する検査情報及び／又は患者情報に基づいて撮影条件を設定し、検査要求信号、患者情報及び検査情報と対応させて、撮影条件を表す撮影条件情報をメモリ１２２に記憶させる。
【００３４】
ポータブルの医用画像撮影装置に対する検査要求信号をオーダリング装置から入力する際に、検査要求信号転送部１２１ｂは、入力部３１を用いたオペレータの操作、又は、オーダリング装置から入力される患者情報等に基づいて、ＰＤＡ転送モードを設定する。ＰＤＡ転送モードにおいて、検査要求信号転送部１２１ｂは、オーダリング装置から入力された複数の検査要求信号、及び、それらの検査要求信号に対応する患者情報、検査情報及び撮影条件情報を、ＰＤＡ５０に転送すべき信号としてメモリ１２２に蓄積させる。
【００３５】
検査要求信号転送部１２１ｂは、例えば、入力部３１を用いたオペレータの操作に基づいて、又は、ＰＤＡ転送モードにおいて所定数の検査要求信号が入力されると、ＰＤＡ転送モードを解除する。ＰＤＡ転送モードが解除されて通常モードに戻ると、検査要求信号転送部１２１ｂは、ＰＤＡ転送モードにおいてメモリ１２２に蓄積された複数の検査要求信号、及び、それらの検査要求信号に対応する患者情報、検査情報及び撮影条件情報をメモリ１２２から読み出し、複数の検査についてまとめて、インタフェース１２８を介してＰＤＡ５０に一括して転送する。その後、ＰＤＡ５０が少なくとも１台のポータブルの医用画像撮影装置を制御することにより、複数の検査が実施される。
【００３６】
ここで、検査要求信号転送部１２１ｂは、検査要求信号によって要求されている検査が、ポータブルの医用画像撮影装置を用いる検査であるのか、通常の医用画像撮影装置を用いる検査であるのかを、患者情報等に基づいて判断するようにしても良い。要求されている検査がポータブルの医用画像撮影装置を用いる検査である場合には、検査要求信号転送部１２１ｂが、オーダリング装置から入力される患者情報等に基づいて、ＰＤＡ転送モードを設定する。
【００３７】
一方、要求されている検査が通常の医用画像撮影装置を用いる検査である場合には、撮影制御部１２１ｃが、メモリ１２２に記憶されている検査に対応する撮影条件情報に基づいて通常の医用画像撮影装置を制御することにより、その検査が実施される。また、撮影制御部１２１ｃは、検査要求信号に対応する患者情報、検査情報を出力部１２１ｅからインタフェース１２６を介して、表示部３３に出力させる。患者情報及び検査情報は、医用画像撮影制御装置の表示部３３に供給され、表示部３３において、検査要求が発行された検査を表す検査情報として表示される。
【００３８】
検査の実施後において、放射線撮影に用いられた記録シートに記録されている放射線情報が、医用画像読取装置によって読み取られ、画像データが生成される。画像処理部１２１ｄは、医用画像読取装置から受信された画像データに、必要な画像処理を施す。必要な画像処理が施された画像データは、出力部１２１ｅからインタフェース１２６を介して表示部３３に供給されて、表示部３３において画像が表示され、その画像がオペレータによって確認される。また、必要な画像処理が施された画像データは、メモリ１２２に記憶されると共に、オペレータの指示に従って、ハードディスク制御部１２４を介してハードディスク１２３に記録されたり、ネットワークインタフェース１２５を介してアーカイブ６０等に配送される。
【００３９】
なお、本実施形態においては、撮影条件設定部１２１ａ、撮影制御部１２１ｃ、検査要求信号処理部１２１ｂ、画像処理部１２１ｄ、及び、出力部１２１ｅを、ＣＰＵとソフトウェアで構成したが、ディジタル回路やアナログ回路で構成しても良い。
【００４０】
次に、本実施形態に係る医用画像撮影制御装置を含む医用画像撮影システムの動作について、図１〜図４を参照しながら説明する。図３及び図４は、ポータブルの医用画像撮影装置を用いた撮影における医用画像撮影システムの動作を示すフローチャートである。
【００４１】
ポータブルの医用画像撮影装置２０を用いた撮影における動作においては、図３に示すように、まず、ステップＳ１において、オペレータが、ＰＤＡ５０を医用画像撮影制御装置３０に接続する。次に、ステップＳ２において、オペレータが、医用画像撮影制御装置３０の入力部３１を操作して、ＰＤＡ転送モードの設定を指示する。ステップＳ３において、検査要求信号転送部１２１ｂが、ＰＤＡ転送モードの設定を指示する信号を入力部３１から受け、これに基づいてＰＤＡ転送モードを設定する。
【００４２】
ステップＳ４において、オーダリング装置がオーダを発行し、検査要求信号、患者情報、及び、検査情報を医用画像撮影制御装置３０に出力する。ステップＳ５において、医用画像撮影制御装置３０がオーダを受信し、検査要求信号、患者情報、及び、検査情報を入力する。ステップＳ６において、医用画像撮影制御装置３０のメモリ１２２が、入力された検査要求信号、患者情報、及び、検査情報を、ＰＤＡ５０に転送すべき信号として記憶する。なお、検査要求信号、患者情報、検査情報の各々は、オペレータが、医用画像撮影制御装置３０の入力部３１を用いて入力するようにしても良い。
【００４３】
ステップＳ７において、検査要求信号転送部１２１ｂが、オペレータによってＰＤＡ転送モードの解除が指示されたか否かを判定する。ＰＤＡ転送モードの解除が指示されていない場合には、ステップＳ４に戻り、入力される検査要求信号、患者情報、及び、検査情報をメモリ１２２に蓄積する。ＰＤＡ転送モードの解除が指示された場合には、ステップＳ８に移行する。
【００４４】
なお、ＰＤＡ転送モードの解除の指示は、オーダリング装置から検査要求信号が一定期間入力されないときに行うようにしても良いし、入力された検査要求信号の数をカウントし、検査要求信号の数が指定された数に達したときに行うようにしても良い。検査要求信号の数の指定は、オペレータが、オーダリング装置を用いて行うようにしても良い。また、オーダリング装置との間でＰＤＡ転送トリガ信号を規定しておき、医用画像撮影制御装置３０がＰＤＡ転送トリガ信号を受信したときに、ＰＤＡ転送モードを解除して、検査要求信号等をＰＤＡ５０に転送しても良い。
【００４５】
ＰＤＡ転送モードの解除が指示された場合には、ステップＳ８において、検査要求信号転送部１２１ｂが、ＰＤＡ転送モードを解除して通常モードに戻す。さらに、ステップＳ９において、検査要求信号転送部１２１ｂが、インタフェース１２８を介して、ＰＤＡ５０に転送すべき信号としてＰＤＡ転送モードにおいてメモリ１２２に蓄積された検査要求信号、患者情報、及び、検査情報を、それぞれの撮影条件情報と共に、ＰＤＡ５０にまとめて転送する。
【００４６】
なお、予めＰＤＡ５０の入力部５１を用いて、検査要求信号の受信が可能か否か、受信可能な検査の数、受信不可能な検査に対応する検査要求信号等の種類等を設定し、ＰＤＡ転送モードの設定時、又は、ＰＤＡ転送モードの設定期間内において、検査要求信号転送部１２１ｂが、ＰＤＡ５０からそれらの情報を受信し、それらの情報に基づいてＰＤＡ５０への転送処理を制御するようにしても良い。
【００４７】
ステップＳ１０において、オペレータが、ＰＤＡ５０を医用画像撮影制御装置３０から取り外し、ポータブルの医用画像撮影装置２０に接続する。なお、この際に、ポータブルの医用画像撮影装置２０を、患者の病室等に移動させる。ステップＳ１１において、処理部５４が、転送された患者情報及び検査情報を、表示部５３に出力する。ステップＳ１２において、表示部５３が、検査情報を表示する。ステップＳ１３において、オペレータが、バーコードリーダ５２を用いて、撮影に用いられる記録シートを格納するカセッテに付されたバーコードを読み取る。
【００４８】
図４を参照すると、ステップＳ１４において、処理部５４が、バーコードを読み取ることによって生成されたバーコード情報を記憶する。ステップＳ１５において、オペレータが、表示部５３において表示された検査情報を確認し、入力部５１を用いて検査開始命令を入力する。ステップＳ１６において、処理部５４が、その検査に対応する患者情報及び検査情報とに基づいて、その検査を開始するようにポータブルの医用画像撮影装置２０を制御する。
【００４９】
ステップＳ１７において、処理部５４の制御の下で、オペレータによって検査開始命令が入力された検査に関する患者情報及び検査情報に基づいて、ポータブルの医用画像撮影装置２０が、被検者に放射線を照射することにより放射線画像を撮影し、記録シートに放射線画像を記録する。処理部５４は、記憶している検査要求信号の中から、検査開始命令が入力された検査に関する検査要求信号を削除すると共に、ステップＳ１４において記憶したバーコード情報を、検査開始命令が入力された検査に関する患者情報及び検査情報と対応させて記憶する。
【００５０】
ステップＳ１８において、オペレータが、再びＰＤＡ５０を医用画像撮影制御装置３０に接続する。ステップＳ１９において、検査要求信号転送部１２１ｂが、処理部５４に記憶されている患者情報及び検査情報、及び、患者情報及び検査情報と対応しているバーコード情報をインタフェース１２８から入力し、メモリ１２２に記憶させる。
【００５１】
ステップＳ２０において、医用画像読取装置４０が、記録シート１に記録されている放射線画像を読み取ることにより画像データを生成し、生成した画像データをバーコード情報と共に、医用画像撮影制御装置３０に送信する。
【００５２】
ステップＳ２１において、医用画像撮影制御装置４０のメモリ１２２が、医用画像読取装置４０から受信された画像データ及びバーコード情報を記憶する。ここで、メモリ１２２は、医用画像読取装置４０から受信したバーコード情報とＰＤＡ５０から入力したバーコード情報とを対応させることにより、画像データと患者情報及び検査情報とを対応させ、患者情報及び検査情報を画像付帯情報として記憶する。
【００５３】
ステップＳ２２において、医用画像撮影制御装置３０の画像処理部１２１ｄが、メモリ１２２に記憶されている画像データに画像処理を施す。ステップＳ２３において、画像処理が施された画像データに基づいて、医用画像が表示部３３に表示され、オペレータに確認される。
【００５４】
ステップＳ２４において、オペレータが入力部３１を用いて画像データ等の配送を指示することにより、画像データ及び画像付帯情報が、アーカイブ６０又はプリンタ７０に配送される。
【００５５】
上記においては、オペレータの指示によりＰＤＡ転送モードの設定を行うようにしているが、オーダリング装置から入力される患者情報や検査情報に基づいて設定するようにしても良い。即ち、患者情報に含まれる歩行可能か否か等を表す患者の状態や、検査情報に含まれる撮影室、ポータブル撮影か否か、病室等の撮影実施場所、又は、撮影実施技師等を表す情報や、検査情報に含まれる撮影部位を表す情報にポータブル用胸部外観等のポータブル撮影用メニューが含まれているか否かに基づいて、その検査がＰＤＡ５０で行われるものか否かを検査要求信号転送部１２１ｂが判断する。検査要求信号転送部１２１ｂは、ＰＤＡ５０で行われる検査であると判断した場合に、ＰＤＡ転送モードを設定し、その検査に関する検査要求信号及び患者情報等が、ＰＤＡ５０に転送すべき信号としてメモリ１２２に蓄積される。これにより、ＰＤＡ５０への転送漏れを防ぐことができるので、業務の効率を向上させることができる。
【００５６】
その場合には、入力される検査要求信号及び患者情報等をＰＤＡ５０に転送すべき信号としてメモリ１２２に蓄積するべきか否かを、それらが入力される度に判定し、ＰＤＡ５０に転送すべき検査要求信号の数をカウントして、その数に基づいてＰＤＡ転送モードを解除するようにしても良い。あるいは、ＰＤＡ５０に転送すべき検査要求信号が最後に入力されてから所定の期間内に、ＰＤＡ５０に転送すべき検査要求信号が入力されない場合に、ＰＤＡ転送モードを解除するようにしても良い。
【００５７】
本実施形態によれば、検査要求信号転送部１２１ｂが、インタフェース１２８を介してＰＤＡ５０にメモリ１２２に蓄積している検査要求信号、患者情報、及び、検査情報をまとめて転送するので、検査要求信号に対応する検査毎に転送処理を行う必要がなく、医用画像撮影制御装置３０とＰＤＡ５０との間のネゴシエーション及び確認処理の回数を低減し、処理を高速化して業務の効率を向上させることができる。また、検査のキャンセルを行う場合には、ＰＤＡ５０に検査要求信号等を転送する前にメモリ１２２から検査要求信号等を削除することにより、検査のキャンセルを容易に行うことができる。
【００５８】
また、ＰＤＡ転送モードの解除を、オーダリング装置から入力されるＰＤＡ転送モードの解除を表す信号に基づいて行うことにより、操作性を向上させることができる。さらに、入力された検査要求信号に対応する検査の数をカウントし、オーダリング装置から出力される検査の数を表す情報に基づいて行うか、オーダリング装置から検査要求信号が一定期間出力されない場合に行うことにより、転送漏れを防ぐことができる。
【００５９】
本実施形態においては、１つの医用画像撮影制御装置と１つのＰＤＡとを含む医用画像撮影システムの例を用いて説明したが、医用画像撮影システムが複数の医用画像撮影制御装置と複数のＰＤＡとを含み、各ＰＤＡに対して担当の病室や撮影部位等を割り当てておき、オーダリング装置から検査要求信号等が入力されたいずれか１つの医用画像撮影制御装置の検査要求信号転送部が、検査要求信号に対応する検査情報に含まれる病室や撮影部位等を表す情報に基づいて、ハードディスク等に記録されているデータベースを参照し、担当のＰＤＡが接続される医用画像撮影制御装置を検索して、その医用画像撮影制御装置に検査要求信号等を転送するようにしても良い。これにより、オペレータが手動で各医用画像撮影制御装置に検査要求信号等を振り分けて転送する必要が無いので、操作性を向上させ、業務の効率を向上させることができる。
【産業上の利用可能性】
【００６０】
本発明は、放射線科情報管理システム等のオーダリング装置にネットワークを介して接続され、診断目的の撮影を行う医用画像撮影装置を制御する医用画像撮影制御装置において利用することが可能である。
【図面の簡単な説明】
【００６１】
【図１】本発明の一実施形態に係る医用画像撮影制御装置を含む医用画像撮影システムの構成を示すブロック図である。
【図２】図１に示す医用画像撮影制御装置の詳細な構成を示すブロック図である。
【図３】ポータブルの医用画像撮影装置を用いた撮影における医用画像撮影システムの動作を示すフローチャートである。
【図４】ポータブルの医用画像撮影装置を用いた撮影における医用画像撮影システムの動作を示すフローチャートである。
【図５】従来の転送動作を示すフローチャートである。
【符号の説明】
【００６２】
１  記録シート（輝尽性蛍光体シート）
１０  医用画像撮影装置
１１  撮影位置昇降機構
１２  撮影台
１３  放射線発生部
１４  インタフェース
２０  ポータブルの医用画像撮影装置
２１  撮影台
２２  放射線発生部
２３  照射位置調整機構
２４  インタフェース
３０  医用画像撮影制御装置
３１  入力部
３２  バーコードリーダ
３３  表示部
４０  医用画像読取装置
４１  レーザ光源
４２  光走査部
４３  フォトマルチプライヤ（光電子増倍管）
４４  増幅器
４５  Ａ／Ｄ変換器
４６  バーコードリーダ
４７  出力部
５０  ＰＤＡ
５１  入力部
５２  バーコードリーダ
５３  表示部
５４  処理部
６０  アーカイブ
７０  プリンタ
８０  ＲＩＳ
９０  受付端末
１００  ＨＩＳ
１０１  電子カルテＤＢ
１１０  受付端末
１２０  処理部
１２１  中央演算装置（ＣＰＵ）
１２１ａ  撮影条件設定部
１２１ｂ  検査要求信号転送部
１２１ｃ  撮影制御部
１２１ｄ  画像処理部
１２１ｅ  出力部
１２２  メモリ
１２３  ハードディスク
１２４  ハードディスク制御部
１２５  ネットワークインタフェース
１２６〜１２８  インタフェース
【図１】
2005253574.tif 000003
【図２】
2005253574.tif 000004
【図３】
2005253574.tif 000005
【図４】
2005253574.tif 000006
【図５】
2005253574.tif 000007